(57)【要約】 【課題】  引掛レバーと鎖錠部とを一体に構成してロック機構を小型化し、取手の大型化が可能な平面ハンドルを提供する。【解決手段】  扉に固定される本体１の一端に設けた回転シャフト７に取手６を起伏自在に設けるとともに、本体１の他端に副凹部９を設けてその内部に引掛レバー１１とこの引掛レバー１１を前記取手６の他端の係止部８に係止させるバネ２１とを設ける。前記引掛レバー１１には、背面の偏心位置に設けられた突起２３が副凹部９の後部内壁面２２に当接して引掛レバー１１を取手６の係止部８に係止した姿勢に保持するシリンダー錠１０を組み込んだうえに、副凹部９の後部内壁面２２にはシリンダー錠１０が回転された時に前記突起２３を収納し引掛レバー１１を傾動させて取手６の係止部８との係止を解除するための小凹部２４を設けた。【選択図】    図１
2005282009.tif 000002
【特許請求の範囲】
【請求項１】
扉に固定される本体（１）の一端に設けた回転シャフト（７）に取手（６）を起伏自在に設ける一方、本体（１）の他端に副凹部（９）を設けてその内部に引掛レバー（１１）とこの引掛レバー（１１）を前記取手（６）の他端の係止部（８）に係止させるバネ（２１）とを設け、前記引掛レバー（１１）には、背面の偏心位置に設けられた突起（２３）が副凹部（９）の後部内壁面（２２）に当接して引掛レバー（１１）を取手（６）の係止部（８）に係止した姿勢に保持する鎖錠部（１０）を組み込み、さらに、副凹部（９）の後部内壁面（２２）には鎖錠部（１０）が回転された時に前記突起（２３）が収納されて引掛レバー（１１）を傾動させて取手（６）の係止部（８）との係止を解除するための小凹部（２４）を設けたことを特徴とする平面ハンドル。
【発明の詳細な説明】
【技術分野】
【０００１】
本発明は、電気機器収納用ボックス等の扉に取り付けられたロック機構付きの平面ハンドルに関するものである。
【背景技術】
【０００２】
電気機器収納用ボックス等の扉には、常時は扉平面と同一平面内に収納される取手を備えた平面ハンドルが取付けられることが多い。このような平面ハンドルとして本出願人が出願した特許文献１には、関係者以外の不正開錠を防止可能なロック機構を備えたものが開示されている。すなわちこの平面ハンドルには、シャフトに起伏自在に取り付けられた取手の下端を係止する引掛レバーが本体の下方の副凹部に設けられたうえに、引掛レバーをロックするための鎖錠部としてのシリンダー錠が、引掛レバーの鍵挿通孔の後方位置に隙間を明けて設けられている。従来のロック機構は、以上のように引掛レバーと鎖錠部とが別体に構成されたものであったので、製造時の組立て作業に時間がかかるうえロック機構が複雑且つ大きなものとならざるを得なかった。そのために製造コストのアップのみならず、平面ハンドル全体の大型化を招くという問題があった。
【特許文献１】特開平８−２３１７３号公報  (図１)
【発明の開示】
【発明が解決しようとする課題】
【０００３】
本発明は上記した従来の問題点を解決して、引掛レバーと鎖錠部とを一体に構成してロック機構を小型化することにより、安価でハンドル全体の小型化が可能な平面ハンドルを提供するためになされたものである。
【課題を解決するための手段】
【０００４】
上記の課題を解決するためになされた本発明の平面ハンドルは、扉に固定される本体の一端に設けた回転シャフトに取手を起伏自在に設ける一方、本体の他端に副凹部を設けてその内部に引掛レバーとこの引掛レバーを前記取手の他端の係止部に係止させるバネとを設け、前記引掛レバーには、背面の偏心位置に設けられた突起が副凹部の後部内壁面に当接して引掛レバーを取手の係止部に係止した姿勢に保持する鎖錠部を組み込み、さらに、副凹部の後部内壁面には鎖錠部が回転された時に前記突起が介入されて引掛レバーを傾動させて取手の係止部との係止を解除するための小凹部を設けたことを特徴とするものである。
【発明の効果】
【０００５】
本発明の平面ハンドルは、副凹部の内部に引掛レバーとこの引掛レバーを取手に係止させるバネとを設けたうえに、前記引掛レバーには背面の偏心位置に引掛レバーロック用の突起が設けられた鎖錠部を組み込むとともに、副凹部の後部内壁面には鎖錠部が回転された時に前記突起が収納されて引掛レバーのロックを解除する小凹部を設けたものである。以上のように引掛レバーと鎖錠部とを一体に組合わせたので、製造時の組立て作業時間を短縮できるうえロック機構を従来よりも小さくすることができてその分平面ハンドル全体を小型化することができる。
【発明を実施するための最良の形態】
【０００６】
以下に図面を参照しつつ本発明の好ましい実施形態を説明する。
図１〜５は、本発明の実施形態の平面ハンドルを示す図であって、１はボックス類の扉に固定される縦長の本体であり、該本体１には前面に取手収納用の浅い凹部２が設けられ、該凹部２の上部後方に円筒状の軸受部３が突設されている。４は該軸受部３に回動自在に軸支される回転シャフトであり、その後部にボックス類の本体と係合するための鎖錠板５がビスにより取付けられている。６は回転シャフト４の支軸７に軸着されて回転シャフト４の前側に起伏自在な取手であり、取手６の下端には凹陥状の係止部８が下向きに設けられている。この取手６は施錠時には前記凹部２に収納される。なお、前記支軸７には、取手６の回動操作時に該取手６を自動的に引き起こすための捻りコイルバネ（図示していない）が装着されている。また、１９は雨水侵入防止用のＯリングである。
【０００７】
凹部２の下方には凹部２より深い副凹部９が設けられ、この副凹部９に、鎖錠部としてシリンダー錠１０が一体に組み込まれた引掛レバー１１が枢着されている。引掛レバー１１は図６に示すような構造のものであって、胴部１２にシリンダー錠１０の取付孔１３が設けられ、外周面の一側にはピン挿通孔１４を有する突片１５が一対形成されている。その突片１５の前方には、取手６の下端の係止部８と係合して取手６を凹部２に収納保持するための鉤掛部１６が凸状に形成されている。また、胴部１２の外周面で鉤掛部１６の反対側には引掛レバー押し下げ用の舌片１７が設けられている。また、引掛レバー１１は、その後方に隙間１８を明けてピン２０により枢着されていて上下方向に回動することができるが、この引掛レバー１１は、ピン２０に取付けられた捻りコイルバネ２１の弾性により上方に回動する方向に付勢されている。また、胴部１２の外周面には後述するキャップ２６を取り付けるための突起３０が設けられている。
【０００８】
シリンダー錠１０は前記取付孔１３に抜け落ちることなく且つ回転自在に装着されている。そして、シリンダー錠１０の背面には副凹部９の後部内壁面２２に当接して引掛レバー１１の下方への回動を規制するロック用の突起２３がシリンダー錠１０の回転中心から偏心して設けられている。また、副凹部９の後部内壁面２２には、開錠時に前記突起２３を収納して引掛レバー１１の下方への回動を可能ならしめるロック解除用の小凹部２４が設けられている。
【０００９】
以上のように構成された平面ハンドルは、施錠時には本体１の前面に設けた浅い凹部２に取手６を収納し、取手６の下端を引掛レバー１１より係止してロックし、鎖錠板５を回転不能に保持するものである。図１に示す取手６のロック状態においては、取手６の下端の係止部８に引掛レバー１１の鉤掛部１６が嵌め込まれて引掛レバー１１が取手６の下端に当接している。また、突片１５の上縁も副凹部９の上部壁面２７に当接しているので、引掛レバー１１の上方への回動は規制されている。さらに、シリンダー錠１０背面の突起２３が副凹部９の後部内壁面２２に当接しているので、引掛レバー１１は下方への回動も規制されている。したがって、引掛レバー１１はこの状態では上下両方向に回動することができず、取手６を引き出し不可能にロックして凹部２の内側に収納している。
【００１０】
以上のようなロック状態の取手６を開錠する時には、引掛レバー１１の前側下端に設けた舌片１７を下方に軽く押圧しつつ、シリンダー錠１０に図示しないキーを挿入してシリンダー錠１０を回転する。シリンダー錠１０の回転により偏心して設けられた突起２３が回転されて後部内壁面２２の小凹部２４に位置したときに、この小凹部２４に突起２３が収納されるので、図２に示すように引掛レバー１１を下方に押圧回動することができて、取手６の下端の係止部８と引掛レバー１１の鉤掛け部１５との係合を解除することができる。次いで、図４に示すように取手６を凹部２から取出ししたうえ９０°回転させれば、回転シャフト４の後端に取付けた鎖錠板５も同時に回転されるので、施錠を解除することができる。なお、鎖錠部はシリンダー錠１０に限定するものでなく、キーを挿し込めるようなものであればどのようなものでよい。
【００１１】
なお、図１、２及び図６に示すように、シリンダー錠１０にはキャップ２６が取付けられている。このキャップ２６は、樹脂またはゴム等により成形され、シリンダー錠１０の前面を覆う略円形状の蓋部２６ａと、蓋部２６ａの中央面に突設したつまみ部２６ｂと、蓋部２６ａのつまみ部２６ｂを設けた面とは反対側に突設した略キー形状の差込バー２６ｃと、一端を蓋部２６ａに連設するとともに他端に孔部を有した取付脚２６ｄとからなり、キャップ２６は、取付脚２６ｄに設けた孔部を引掛レバー１１の胴部１２の外周面に設けた突起３０に嵌合したうえ、前記突起の径より若干小さい孔を有した押さえ片２５により引掛レバー１１に取り付けられている。
このキャップ２６は、シリンダー錠１０を操作しないときはその鍵穴に差込バー２６ｃを挿入してシリンダー錠１０の前面を蓋部２６ａで覆い、鍵穴から雨水やゴミなどが侵入して腐食するのを防止するものである。
また、シリンダー錠１０を操作するときはつまみ部２６ｂをつまんで、鍵穴より差込バー２６ｃを抜けばよく、抜いた後も取付脚２６ｄが引掛レバー１１に取付けられているため、キャップ２６を紛失する恐れがないものである。
【００１２】
以上説明したように、本発明の平面ハンドルは、引掛レバーと鎖錠部とを一体に組合わせたので、従来よりもロック機構を小さくすることができ、平面ハンドル全体の大きさを小さくすることができるという大きな利点を有するものである。
【図面の簡単な説明】
【００１３】
【図１】ロック状態にある本発明の平面ハンドルの断面図である。
【図２】開錠時の平面ハンドルの断面図である。
【図３】平面ハンドルの正面図である。
【図４】平面ハンドルの側面図である。
【図５】平面ハンドルの平面図である。
【図６】引掛レバーの斜視図である。
【符号の説明】
【００１４】
１  本体
２  凹部
３  軸受部
４  回転シャフト
５  鎖錠板
６  取手
７  支軸
８  取手の係止部
９  副凹部
１０  鎖錠部
１１  引掛レバー
１２  胴部
１３  鎖錠部の取付孔
１４  ピン挿通孔
１５  突片
１６  鉤掛部
１７  舌片
１８  隙間
１９  Ｏリング
２０  ピン
２１  捻りコイルバネ
２２  副凹部の後部内壁面
２３  引掛レバーロック用の突起
２４  ロック解除用の小凹部
２５  押え片
２６  キャップ
２７  副凹部の上部壁面
３０  突起
【図１】
2005282009.tif 000003
【図２】
2005282009.tif 000004
【図３】
2005282009.tif 000005
【図４】
2005282009.tif 000006
【図５】
2005282009.tif 000007
【図６】
2005282009.tif 000008